(57)【要約】【課題】  従来の矢立や矢筒は、矢の収容、取出しに不便で、また、矢羽を傷め易かった。【解決手段】  本件出願の矢筒は、多数本の矢を立てた状態でその全長を収容可能な高さの上方開口の筒本体と、その筒本体内を昇降可能な底と、底を昇降操作する紐状体を備え、紐状体は下端部を筒内を通して底に取付け、上端部を筒本体の上部外方へ引き出して、筒本体の外で紐状体を引き下げると底が引き上げられて底に支持されている矢が上昇し、紐状体の引き下げを解放すると底が降下して矢が筒本体内に収容されるようにしたものである。また、筒本体にその外に紐状体を引き出す引き出し孔を開口し、その開口部にガイドを設けた。更に、筒本体の下部に、底の降下時に筒本体内の空気が流出する空気抜き口を開口した。【選択図】図２
2006064215.tif 000002
【特許請求の範囲】
【請求項１】
多数本の矢（５）を立てた状態でその全長を収容可能な高さの上方開口の筒本体（１）と、その筒本体（１）内を昇降可能な底（２）と、底（２）を昇降操作する紐状体（３）を備え、紐状体（３）は下端部が筒本体（１）内を通して底（２）に取付けられ、上端部が筒本体（１）の上部外方へ引き出されて、筒本体（１）の外で引き下げると底（２）が引き上げられて底（２）に支持されている矢（５）が上昇し、紐状体（３）の引き下げを解放すると底（２）が降下して矢（５）が筒本体（１）内に収容されるようにしたことを特徴とする矢筒。
【請求項２】
請求項１記載の矢筒において、筒本体（１）にその外に紐状体（３）を引き出す引き出し孔（８）が開口され、その開口部にガイド（９）が設けられたことを特徴とする矢筒。
【請求項３】
請求項１又は請求項２記載の矢筒において、筒本体（１）の下部に、底（２）の降下時に筒本体（１）内の空気が流出する空気抜き口（７）が開口されたことを特徴とする矢筒。
【発明の詳細な説明】
【技術分野】
【０００１】
本発明は、弓道、アーチェリー等で用いられる矢を収容する矢筒に関するものである。
【背景技術】
【０００２】
従来、弓道やアーチェリー等の練習用、競技用の矢は、従来は、図３（ａ）に示すような矢立や、図３（ｂ）に示すような矢筒に収容していた。図３（ａ）に示す矢立は、升状の容器Ａの上面開口部に仕切り枠Ｂが縦横に設けられたものであり、矢Ｃを立てて収容することができ、収容した矢の矢羽部分Ｄが矢立の上方に突出するようになっている。また、図３（ｂ）に示す矢筒は、上方開口の筒Ｅであって、矢Ｃを立てて収容することができ、収容した矢Ｃの矢羽部分Ｄが、矢立の上方に突出する高さになっている。
【発明の開示】
【発明が解決しようとする課題】
【０００３】
従来の矢立や矢筒には、次のような課題がある。
（１）矢の収容時に、矢羽が矢立や矢筒の上方に突出しているため、矢羽同士が接触して、矢の命である矢羽が損傷し易くなり、矢の寿命が短くなる。
（２）矢を立てた状態で収容するため、矢を取出す際に、長い矢を真上に持ち上げるようにして取出さなければならず、取出しが不便である。また、矢を取出す際に、突出している矢羽に手が触れることが多くなり、矢羽がさらに傷み易くなる。
（３）矢を持ち運ぶ際は、矢羽も覆うことができる他の入れ物に矢を移し替える必要があり、煩雑である上、更に矢羽が傷み易くなる。
【課題を解決するための手段】
【０００４】
本発明の矢筒は、矢羽を傷めることなく矢を収容でき、矢の収容、取出しが容易で、持ち運びにも便利な矢筒を提供するものである。
【０００５】
本件出願の矢筒は、多数本の矢５を立てた状態でその全長を収容可能な高さの上方開口の筒本体１と、その筒本体１内を昇降可能な底２と、底２を昇降操作する紐状体３を備え、紐状体３は下端部が筒本体１内を通して底２に取付け、上端部を筒本体１の上部外方へ引き出して、筒本体１の外で引き下げると底２が引き上げられて底２に支持されている矢５が上昇し、紐状体３の引き下げを解放すると底２が降下して矢５が筒本体１内に収容されるようにしたものである。また、筒本体１に、その外に紐状体３を引き出す引き出し孔８を開口し、その開口部にガイド９を設けた。更に、筒本体１の下部に、底２の降下時に筒本体１内の空気が流出する空気抜き口７を開口することもできる。
【発明の効果】
【０００６】
本件出願の矢筒は次のような効果がある。
（１）筒本体が多数本の矢を立てた状態でその全長を収容可能な長さであるため、矢羽が矢筒の外方に突出せず、矢羽を保護することができ、矢が損傷しにくくなり、長持ちする。
（２）筒本体の外に出ている紐状体を引き下げると底が引き上げられて矢が上昇して筒本体の上方開口部より上方に突出するため、矢を取出し易い。また、紐状体を十分に引けば矢を矢柄部分まで露出させることができるので、矢羽に触れることなく矢を取出すことができ、矢羽を傷めにくくなる。また、矢を真上に持ち上げるようにして取出す必要もないため、矢の取出し、収容も容易となる。
（３）紐状体の引き下げを解放すると底が降下して矢が矢羽まで筒本体内に収容されるので、長い筒本体内への収容も容易である。また、紐状体の引き下げを解放すると底が降下して矢が筒本体内に収容されるので、矢の持ち運びにも便利である。
（４）筒本体の紐状体引出し用の開口部にガイドを設けたので、紐状体の引き・戻しがスムーズになり、少ない力で底を昇降させることができる。また、紐状体も切れにくくなり、矢筒の耐久性も向上する。
（５）筒本体の下部に、底の降下時に筒本体内の空気が流出する空気抜き口を開口したので、底の降下が空気の圧力によって妨げられることがなく、スムーズ且つスピーディーに底が昇降する。
【発明を実施するための最良の形態】
【０００７】
（実施形態１）
本発明の矢筒を、図１、図２に基づいて詳細に説明する。本発明の矢筒は、図１（ａ）（ｂ）及び図２（ａ）（ｂ）に示すように、上方開口の筒本体１と、筒本体１の内部に備えられた底２と、その底２を昇降操作する紐状体３を備えたものである。
【０００８】
前記筒本体１は、図１（ａ）（ｂ）に示すように、上方開口の細長の筒状部材である。本発明では、筒本体１は上方開口部１９を上にして立てた状態で使用する。筒本体１の高さは、矢５を立てた状態でその全長を収容可能な高さであれば、任意の高さとすることができる。また、筒本体１の径も、所望の径とすることができる。筒本体１には、変形しにくい硬質樹脂や金属、木、竹、陶器等、任意の素材のものを用いることができるが、軽い素材製のものが持ち運びの点からは望ましい。図では筒本体１の下端に底板６が形成されているが、本発明の矢筒においては、底板６は無くても良い。筒本体１の下部には、空気抜き口７が開口されて、筒本体１内に備えられた底２の降下時に筒本体１内の空気が筒本体１外に流出できるようにしてある。また、筒本体１の上部には、引き出し孔８が開口されている。前記引き出し孔８の内部には、図２（ｃ）に示すように、ローラ、滑車等のガイド９が備えられ、図中矢印方向に回転自在としてある。このこのローラ、滑車等は、紐状体３が滑り易ければ、必ずしも回転する必要はない。ガイド９は、紐状体３を滑り易くできれば、丸パイプ、丸棒等任意のものとすることができる。筒本体１の上端外周には、環状の口金１０が取付けられており、その口金１０にも、前記筒本体１の引き出し孔８の外側にあたる部分に引き出し孔１１が開口されている。また、図１（ａ）（ｂ）に示すように、筒本体１の高さ方向中央部分の外側面には、取付け環１２が取付けられ、その取付け環１２にはフック形の係止具１３が取付けられている。また、同じく筒本体１の外側面には、固定用紐１４が取付けられ、本発明の矢筒を道場や競技場の柱等、任意の場所に結び付けて固定することができるようにしてある。
【０００９】
前記底２は、図２（ａ）（ｂ）に示すように、筒本体１内に昇降可能に備えられた矢５を支持可能な部材であり、筒状のケース１５内に支持材１６が収容固定され、支持材１６の底面に緩衝材１７が取付けられている。ケース１５の外径は、筒本体１の内部を昇降可能な径であれば任意の外径とすることができる。本発明の矢筒に収容される矢５は、図２（ａ）（ｂ）に示すように、その鏃２１を底２上にのせて収容される。また、ケース１５は、筒本体１に合わせた筒状には限られず、四角柱状や六角柱状等の多角形のものとすることもできる。支持材１６は、図に示す形状のものには限られず、板状等任意の形状とすることができる。支持材１６の上面は、平らとすることも、外周部から中心部に向けて窪むようにすることもできる。また支持材１６の素材は、木や硬質樹脂等、任意のものとすることができる。支持材１６の上面には、支持する矢５の鏃２１を傷めないために保護材を備えることもできる。緩衝材１７は、ゴム、樹脂、コルク、スポンジ、スプリング、木材等、任意のものを用いることができる。
【００１０】
前記紐状体３は、図２（ａ）（ｂ）に示すように、下端部が筒本体１内を通して底２に取付けられ、上端部が筒本体１の引き出し孔８及び口金１０の引き出し孔１１を通して筒本体１の外方に引き出されている。紐状体３には、紐、ワイヤー、コード、チェーン等、任意のものを用いることができる。紐状体３の下端部は、図２（ａ）（ｂ）では底２の支持材１６の上面に取付けられているが、これには限られず、底２のケース１５の上端部等、底２の任意の箇所に取付けることができる。紐状体３は、図２（ｃ）に示すように、筒本体１の引き出し孔８内に備えられたガイド９に掛けられて筒本体１の外方に引き出されている。従って、筒本体１の外方から紐状体３を引き下げると、底２が筒本体１内で持ち上げられ、底２に支持されている矢５が上昇して筒本体１の上方開口部１９より上方に突出する。紐状体３の引き下げを解放すると底２が降下して筒本体１の下端に戻り、矢５も筒本体１内に矢羽２０まで収容されるようにしてある。紐状体３の長さは、底２が筒本体１の下端に位置した状態で下端部を底２に取付けた場合に、上端部を筒本体１の外方に引き出し可能な長さであれば、任意の長さとすることができる。
【００１１】
図２（ａ）（ｂ）に示すように、筒本体１の外方に引き出された紐状体３の上端部には引き手４が取付けられている。引き手４は、図１、図２に示すように、リング状の部材であって、引き手４を把持して紐状体３を引き下げることができるようにしてある。また、引き手４は、図１（ｂ）、図２（ｂ）に示すように、前記筒本体１の外側面に備えられた係止具１３に係止できるようにしてある。従って、引き手４を係止具１３に係止すれば、筒本体１の外方から紐状体３を引き下げた状態で紐状体３を保持できるので、底２を筒本体１内で上げたまま保持することができるようにしてある。また、引き手４は、図２（ａ）〜（ｃ）に示すように、筒本体１内に入り込まない大きさであれば、任意の大きさとすることができる。引き手４の形状は、図に示すリング状のものには限られず、棒状等、任意の形状とすることができる。その場合には、係止具１３の形状を、引き手４の形状に応じて変化させる。
【００１２】
本実施形態の矢筒を使用する場合、次のようにする。通常時は、図１（ａ）、図２（ａ）に示すように、底２が筒本体１の下端に位置しており、筒本体１内には、複数本の矢５を矢羽２０を上にして立てた状態でその全長を収容することができる。この時、収容された矢５の鏃２１は底２に支持され、矢羽２０は筒本体１の外方には出ない。使用時は、引き手４を把持して、紐状体３を引き下げ、紐状体３によって底２を筒本体１内で持ち上げる。その時筒本体１内に収容された矢５は、底２の上昇に伴って上昇し、矢柄１８部分まで筒本体１の開口部１９から上方に突出する。その状態を保持する場合には、図２（ｂ）、図１（ｂ）に示すように、引き手４を係止具１３に係止して、底２の位置を固定する。紐状体３の引き下げを解放すると、底２は、支持材１６の重さで筒本体１の下端まで降下し、通常時の状態に戻る。この時、筒本体１内の空気は、空気抜き口７から筒本体１外へと流出する。本発明の矢筒は、道場、競技場等に据付ける設置型としたり、矢５の全長を収容した状態で持ち運ぶ携帯型とすることができる。また、本発明の矢筒は、図３（ａ）に示すような従来の升状の矢立内に立てて用いることもできる。
【００１３】
（その他の実施形態）
本発明の矢筒の形状は、前記実施形態１に示す円筒形には限られず、筒本体や底の形状を、六角形や四角形等の多角形とすることもできる。
【００１４】
また、前記実施形態１では、筒本体１の上方側面に引き出し孔８を開口して紐状体３を筒本体１の外方に引き出していたが、これには限られず、紐状体を筒本体の外方に引き出し、紐状体を引いて底が筒本体内で持ち上げられれば、筒本体の上方開口部から紐状体を出したりする等、紐状体の位置を任意とすることもできる。
【００１５】
本発明の矢筒には、筒本体の上方開口部を閉塞する蓋を備えることもできる。また、筒本体の外周を、皮革、毛皮、布等によって被覆して、筒本体を保護したり、装飾したりすることもできる。
【産業上の利用可能性】
【００１６】
本発明の矢筒の構造は、弓道用の矢の収容及び取出し用には限られず、アーチェリー用の矢の収容及び取出し等、広く棒状の部材の収容及び取出しに応用することができる。
【図面の簡単な説明】
【００１７】
【図１】（ａ）は、本発明の矢筒の実施形態の一例の通常時の様子を示す斜視図。（ｂ）は、（ａ）に示す矢筒の使用時の様子を示す斜視図。
【図２】（ａ）は、図１に示す矢筒の通常時の様子を示す断面正面図。（ｂ）は、図１に示す矢筒の使用時の様子を示す断面正面図。（ｃ）は、（ａ）（ｂ）に示す矢筒の紐状体の取付けの様子を示す断面正面図。
【図３】（ａ）は、従来矢の収容に用いられた矢立を示す斜視図。（ｂ）は、従来矢の収容に用いられた矢筒を示す斜視図。
【符号の説明】
【００１８】
１  筒本体
２  底
３  紐状体
４  引き手
５  矢
６  底板
７  空気抜き口
８  引き出し孔
９  ガイド
１０  口金
１１  引き出し孔
１２  取付け環
１３  係止具
１４  固定用紐
１５  ケース
１６  支持材
１７  緩衝材
１８  矢柄
１９  開口部
２０  矢羽
２１  鏃
【図１】
2006064215.tif 000003
【図２】
2006064215.tif 000004
【図３】
2006064215.tif 000005